(57)【要約】 【課題】  防水扉が起立したときに、防水扉が塞いでいた通路面に埋設の収容凹部体の開口に歩行者が足を取られないようにする。【解決手段】  防水扉３が起立した後、点検蓋１０２，１０４を開けて支柱１０５を取り出し、左右のパイプ材に支柱１０５の下部を嵌め込んで立てる。左右の支柱１０５のフック１０６とフック１０６の間にチェン１０９を掛け渡し、また、防水扉３のフック１０６と支柱１０５のフック１０６の間にチェン１０９を掛け渡し、収納凹部体２の収容部１００の上方開口（防水扉３が塞いでいた開口）の周囲にチェン１０９を張り巡らす。【選択図】  図８
2006152691.tif 000002
【特許請求の範囲】
【請求項１】
出入口の通路面に収納凹部体を埋設し、その収納凹部体の出入口側部分に防水扉の基部を蝶着し、防水扉を、収納凹部体を塞いだ倒伏状態から出入口を水密に塞ぐ起立位置へ起立させるようにした防水扉装置において、防水扉が起立状態にあるとき、防水扉が塞いでいた収納凹部体の上方開口の領域内側へ歩行者が入り込むことを防止する入り込み防止部材を前記上方開口の周囲に巡らせて成る防水扉装置。
【請求項２】
収納凹部体には、防水扉先端部と対応して幅方向左右に支柱を抜き差し可能に支持する支柱支持部材を設け、該支柱支持部材に嵌め込まれた支柱の上端部、及び左右支柱の上端部と夫々出入口方向で対向する起立状態の防水扉の部位との間に、入り込み防止部材としてのチェンを掛け渡して成る請求項１記載の防水扉装置。
【請求項３】
収納凹部体は、支柱とチェンを格納する格納部を有することを特徴とする請求項２記載の防水扉装置。
【発明の詳細な説明】
【技術分野】
【０００１】
この発明は、出入口から地下駐車場や地下通路などに集中豪雨などで溢れた水が浸入しないように出入口を水密に塞ぐ防水扉装置に係るものである。
【背景技術】
【０００２】
従来の防水扉装置として、（特許文献１や特許文献２では、建物や駐車場等の出入口の通路面（床面）に埋設されたピット（収納凹部体）に防水扉の基部をヒンジにより蝶着して上下方向に揺動可能に配設し、その防水扉を上下に枢動するリフトレバーや前後に揺動する駆動レバーによってピットの開口を閉塞する倒伏状態から前記出入口を閉塞する起立状態に起立させるようにしてある。  
【特許文献１】特開平６−２５７３４５号公報
【特許文献２】特開２０００−２２６９６５号公報
【発明の開示】
【発明が解決しようとする課題】
【０００３】
上記のように、防水扉が出入口の通路面に埋設した収納凹部体の上面を覆った状態から起立して出入口を水密に塞ぐ形式の防水扉装置では、防水扉が起立状態であるときには、前記収納凹部体上面は上向きに開口することになる。収納凹部体は、出入口の通路面に埋設されるから、通常は例えば歩行者の通路となっていた建物前の歩道部分に収納凹部体が設けてある場合などでは、歩行者が雨に気を取られて歩いているうちにその収納凹部体に足を取られるおそれがある。
この発明は、防水扉が起立した状態で、収納凹部体の開口に歩行者が入りこまないようにする防水扉装置を提供するものである。
【課題を解決するための手段】
【０００４】
本発明の防水扉装置では、出入口の通路面に収納凹部体を埋設し、その収納凹部体の出入口側部分に防水扉の基部を蝶着し、防水扉を、収納凹部体を塞いだ倒伏状態から出入口を水密に塞ぐ起立位置へ起立させるようにした防水扉装置において、防水扉が起立状態にあるとき、防水扉が塞いでいた収納凹部体の上方開口の領域内側へ歩行者が入り込むことを防止する入り込み防止部材を前記上方開口の周囲に巡らせて成ることを特徴とする。
収納凹部体には、防水扉先端部と対応して幅方向左右に支柱を抜き差し可能に支持する支柱支持部材を設け、該支柱支持部材に嵌め込まれた支柱の上端部、及び左右支柱の上端部と夫々出入口方向で対向する起立状態の防水扉の部位との間に、入り込み防止部材としてのチェンを掛け渡して成る。収納凹部体は、支柱とチェンを格納する格納部を有する。
【発明の効果】
【０００５】
本願装置では、入り込み防止部材が防水扉が塞いでいた収納凹部体の開口の周囲に巡らされるため、歩行者はその入り込み防止部材の内側には入り込めず、従って、収納凹部体の開口に足を取られる不都合がなくなる。
支柱支持部材に支柱を抜き差し可能に立てて支柱の間、支柱と防水扉の間をチェンを張り渡すようにしたので、簡単な作業でチェンを収納凹部体の開口周囲に張り巡らすことが出来る。
収納凹部体に支柱とチェンを収容しているので、防水扉装置の設置場所で支柱を取り出して立て、チェンを収納凹部体の周囲に張り巡らすことが出来る。
【実施例】
【０００６】
防水扉装置１は、防水扉３を、建物や駐車場等の出入口Ｓの通路面Ｆに埋設された収納凹部体２の上部開口を閉塞する倒伏位置Ｐ１（図３）と出入口Ｓを閉塞する起立位置Ｐ２（図７）との間で後述の起倒装置３１により起倒するものである。前記収納凹部体２は上方を開口した箱型形状であって、底板２ｃと前後左右板２ａ，２ｂ，２ｄからなり、更に仕切り板２ｅにより起倒装置３１、電動モータ１６などを収容して防水扉２が上方開口を塞ぐ収容部１００と、後述の支柱１０５等を格納したり、停電時における手動操作のための手動操作機構１３０が配置される格納部１０１とに区画されている。格納部１０１は取り外し自在な３つの点検蓋１０２〜１０４で上方開口を覆われている。格納部１０１に格納される支柱１０５は、上端にフック１０６を一対備えている。支柱１０５は２本であり、格納部１０１にはこの他、入り込み防止部材としてプラスティック材料からなるチェン１０９が格納されている。このチェン１０９は、支柱１０５の間、及び、支柱１０５と防水扉３との間に掛け渡されるものである。収納凹部体２の収容部１００には、倒伏位置にある防水扉３の先端部３ａと対応して、幅方向の左右に支柱支持部材としてパイプ材１０８が上向きに固着してある。
【０００７】
収納凹部体２は、出入口Ｓの通路面Ｆに形成された長方形状の収納凹部４内に設置されている。収納凹部４の開口内側に沿って縁材５が取り付けてある。収納凹部体２の前板２ａ側にはシール材（パッキン部材）６を備えた扉枠７が出入口Ｓの左右両側の図示しない壁面に付設されている。この実施形態において扉枠７，７が設けられる通路面Ｆは、水平に対して扉３の基部３ｂ側に僅かに下がり勾配で傾斜している。収納凹部体２の前板２ａには水平方向のシール材８が取り付けてあり、そのシール材８の両端を、扉枠７の長手に沿った方向のシール材６下端側と連続させてある。
【０００８】
防水扉３が倒伏位置Ｐ１に位置する時、防水扉３の先端部（自由端部）３ａの下面が当接する断面Ｌ字状の支持部材１５が、収納凹部体２の仕切り板２ｅに取り付けてある。防水扉３が倒伏位置Ｐ１にあるとき、防水扉３の上面は、床面Ｆと同一面となっている。また、防水扉３の背面には、起立状態において前記パイプ材１０８に支柱１０５の下端を嵌合して立てた時、支柱１０５と出入口Ｓ方向で対向する部位（防水扉先端部３ａの幅方向左右部分）に、支柱１０５に設けたものと同様のフック１０６が取り付けてある。
【０００９】
ヒンジ装置３３について説明する。収納凹部体２の底板２ｃに取り付けたベース板６０には、前板２ａ側の左、右に夫々一対のブラケットから成る支持部材１０が固着されている。支持部材１０を成す各一対のブラケットの間には、揺動ベース１１の基部が挟まれて枢軸１２により揺動ベース１１を防水扉３の起倒方向に揺動可能に枢着している。揺動ベース１１は、図２に示すように、幅方向中央部に溝部が形成されて溝部両側が側壁部１１ａとなっている。溝部上面は第２当接部１１ｂを構成している。この揺動ベース１１の下面は、図３に示すように防水扉３が倒伏位置Ｐ１にあるとき、ベース板６０の上面に当接している。また、揺動ベース１１の中間部（枢軸１２とベース１１の自由端部との間）には、Ｌ字形状の第１リンク３４の下端部を側壁部１１ａの間に入れた状態で第１下枢軸１４ｂにより回動自在に連結してある。また、揺動ベース１１の自由端部には、第１リンク３４より長い第２リンク３５の下端部を側壁部１１ａ間に入れた状態で第２下枢軸３６ｂにより回動自在に連結してある。揺動ベース１１の一方の側面下部には、後述する回動アーム２４の回動時に、回動アーム２４の押し上げアーム部２４ｃ先端が、摺接移動する押し上げ係合部（カム体）４０が一体に設けてある。
【００１０】
防水扉３は収納凹部体２の収容部１００の上方開口を塞ぐように形成されたものであって、防水扉基部３ｂ側には前記ヒンジ装置３３に対峙するように取付部材１３が固着されている。この取付部材１３の扉枠７に近い部分には第１リンク３４の上端が第１上枢軸１４ａにより枢着されており、取付部材１３の扉枠７から遠い部分には第２リンク３５の上端が第２上枢軸３６ａにより枢着されている。第１リンク３４の屈曲した中間部下側には第１当接部３４ａが形成されており、第１リンク３４が下側（図３において右向き）へ所定量揺動されたときに、第１当接部３４ａは一対の側壁部１１ａの間に入りこんで前記揺動ベース１１の第２当接部１１ｂに当接するようになっている。第１リンク３４の第１当接部３４ａが第２当接部１１ｂに当接するタイミングで、後述する回動アーム２４の押し上げアーム部２４ｃと押し上げ係合部４０との係合が解除されるように設定されている。
【００１１】
次に、扉３の起倒装置３１について説明する。１６は収納凹部体２に配置された電動モータであり、ギヤユニット１８の入力軸１１０に設けたスプロケット１１１と電動モータ１６のモータ軸に設けたスプロケット１１２とがチェン１１３で連繋してある。ギヤユニット１８の出力軸１１４と両端を軸受で支持された駆動中間軸１１５とがチェン１１６を介して回転伝達可能に連繋され、駆動中間軸１１５の両端は夫々枢軸１２と同方向の左右の駆動軸２０にカップリング１９を介して連結してある。駆動中間軸１１５にはスリーブ１１７が相対回動自在に嵌め込まれ、そのスリーブ１１７に引っ張りアーム１１８の基端が連結してある。引っ張りアーム１１８先端とアーム１１８と対向する防水扉３の部位との間には、所定長さのローラチェン１１９が連結してある。このローラチェン１１９と引っ張りアーム１１８とは、起立状態の防水扉に水圧が作用した時に引っ張られて防水扉３の幅方向中間部が水によって内側（浸水防止側）に撓むことを防止するものであり、特に、防水扉３の幅が大きい場合に有効である。
【００１２】
左右の各駆動軸２０の先端部は、左右のベース板６０上に夫々設置されたブラケット２１に支持される。また、駆動軸２０の他端部には、各一対の支持アーム２２の基部２２ｂが間隔をあけて駆動軸２０を中心にして相対回動可能に取り付けてある。この各２本の支持アーム２２の先端部２２ａは防水扉基部３ｂ側に向き中間軸２３によって連結されている。回動アーム２４は、それ自体の基部２４ｂの一方側に長アーム部２４ａが、他方側に押し上げアーム部２４ｃが一体に設けてある。中間軸２３には、支持アーム２２間に中間軸２３を中心にして回動アーム２４の前記基部２４ｂが相対回動可能に取り付けられている。その回動アーム２４の長アーム部２４ａの先端部は防水扉３の先端部３ａに向くように設けられ、先端部にはアーム長手に沿って長孔２５が設けてある。長孔２５には、防水扉３の先端側下面に取り付けたブラケット２７に設けたピン２６が移動可能に案内されている。この長孔２５の防水扉３先端側は、前記ヒンジ装置３３の第１、第２当接部３４ａ，１１ｂが当接した時の防水扉３の所定の起立角度位置（ここでは４５度）となるまではピン２６が長孔２５に沿って移動でき、前記起立角度となると前記ピン２６に当接するように形成されている（図６）。
【００１３】
回動アーム２４の基部２４ｂには中間軸２３を回動中心とする第１チェーンホイール（回動車）２８が固着されている。駆動軸２０には、支持アーム２２間の部分に第２チェーンホイール（駆動車）２９が固着されている。この第１チェーンホイール２８と第２チェーンホイール２９には無端チェーン（帯状体）３０が懸回されて、前記電動モータ１６等と共に、回動アーム２４を回動して扉３を起倒させるようになっている。
【００１４】
次に手動操作機構１３０を説明する。前記ギヤボックス１８の入力軸１１０は図４に示すようにスプロケット１１１から前方に延びて手動回転軸部１３１となっており、スプロケット１１１側から同軸上にトルク伝達軸部１３２と遊嵌軸部１３３とが軸線方向に設けてある。トルク伝達軸部１３２は、手動ハンドルとしての周知のラチェットレバー１３４（ラチェットレンチ）の先端孔部１３５と嵌合してトルクを伝達し得る六角断面となっている。遊嵌軸部１３３は、ラチェットレバー１３４の先端孔部１３５と相対回動可能に遊嵌する円形断面を有している。ラチェットレバー１３４の先端孔部１３５は、これらの軸部１３３，１３４に軸線方向に移動可能に嵌め込まれ、遊嵌軸部１３３先端にラチェットレバー１３４の先端孔部１３５より大径のワッシャ１３６を固定してラチェットレバー１３４の軸線方向の抜け止めを施している。
仕切り板２ｅの格納部１０１側面には、ラチェットレバー１３４の揺動を規制する規制部材１３７が固着してある。規制部材１３７は、板材をコの字に折り曲げたものであり、その両側壁１３８，１３８上面はトルク伝達軸部１３２と対応して設けてあって、ラチェットレバー先端孔部１３５がトルク伝達軸部１３２に嵌合した状態でラチェットレバー１３４を手動回転軸部１３１の軸線回りに揺動させるときラチェットレバー１３４の揺動端を規制する揺動端規制部１３９となっている。この前後の揺動端規制部１３９の間でラチェットレバー１３４が揺動されるとき、レバー１３４の把手１３４ａは収納凹部体２の上方開口の上端２ｆより上に突出するようになっている。
一方の側壁(図４において右側の側壁１３８)には、遊嵌軸部１３３と対応して低段部１４０が形成されている。また前記右側の側壁１３８と手動回転軸部１３１との間に、Ｌ字ブラケット１４１が取り付けてある。Ｌ字ブラケット１４１は前記揺動端規制部１３９と対応する上面は、ラチェットレバー１３４が揺動端規制部１３９の間で揺動されるときに、ラチェットレバー１３４と干渉しないような高さとなっている。また、前記低段部１４０と扉の幅方向で対向する部分は図５（ｃ）に示すような下がり勾配の斜面１４２に形成されている。ラチェットレバー１３４を格納部１０１の内側に収容しようとする時、先端孔部１３５を遊嵌軸部１３３と嵌り合うように軸方向に移動させると、ラチェットレバー１３４は前記斜面１４２をすべり降りつつ下降して揺動端規制部１３９から外れて低段部１４０と当接して格納部１０１の内側に収容され、上方開口の上端２ｆより下側位置となる。このようにラチェットレバー１３４が格納部１０１内側に収容される時、Ｌ字ブラケット１４１の斜面１４２にラチェットレバー１３４の先端に近い部分が係合してラチェットレバー１３４先端をワッシャ１３６方向に押し出すようにしているため、ラチェットレバー１３４の先端孔部１３５が遊嵌軸部１３３に遊嵌している状態が確実に維持され、この状態では手動回転軸部１３１がモータ回転されても先端孔部１３５が勝手にトルク伝達軸部１３２に嵌り込むことがない。
【００１５】
次に、上記のように構成した防水扉装置１の動作について説明する。防水扉装置１は、通常は図３に示す倒伏位置Ｐ１にある。このとき防水扉基部３ｂの端面が前板２ａ側の縁材５に近づいて配置されており、防水扉３は収納凹部体２の開口を殆ど隙間なく塞いでいる。よって通行の安全と美観を確保できる。大雨によって建物や駐車場等の出入口Ｓに浸水が生じる恐れがある水害予想時には、起倒装置３１により防水扉３が起立回転される。
【００１６】
防水扉３が倒伏位置Ｐ１にある状態から、電動モータ１６を駆動してギヤボックス１８の入力軸１１０を回転して駆動軸２０を回転させる。入力軸１１０が回転しても、ラチェットレバー１３４の先端孔部１３５は遊嵌軸部１３３に嵌り込んでいて遊嵌軸部１３３が空回りするだけなので、ラチェットレバー１３４が手動回転軸部１３１に嵌ったままでも電動モータ１６による駆動に支障がない。駆動軸２０の回転により第２チェーンホイール２９を図３において反時計方向に回動すると、無端チェーン３０、第１チェーンホイール２８を介して回動アーム２４が中間軸２３を中心に反時計方向に回動し、押し上げアーム部２４ｃ先端のカムフォロア５０が押し上げ係合部４０の上面に沿って移動して支持アーム２２先端を駆動軸２０を回転中心として上方に移動させつつ、長アーム部２４ａの長孔２５は、ピン２６に沿って相対移動しながらピン２６を介して起倒方向上向きに防水扉３を揺動させる。ピン２６と長孔２５の相対移動は、第１当接部３４ａが第２当接部１１ｂに当接するまで持続して行われるため、防水扉３を起立させる動作が円滑に行われる。このときヒンジ装置３３の第１リンク３４は、第１下枢軸１４ｂを中心として下向き（図３において右向き）に回転し、第２リンク３５は第２下枢軸３６ｂを中心として上向き（図３において右向き）に回転する。
【００１７】
起立途中の所定の角度位置で第１当接部３４ａが第２当接部１１ｂに当接し、第１、第２リンク３４，３５は夫々第１下枢軸１４ｂと第２下枢軸３６ｂを中心とした回転が規制される。第１当接部３４ａが第２当接部１１ｂに当接するまでの起立過程では、押し上げアーム部２４ｃ下端が揺動ベース１１と一体に設けた押し上げ係合部４０を下方に押しているため、揺動ベース１１は枢軸１２回りで起立方向に回転しない（浮き上がらない）。また、この過程では、第１リンク３４の回転が第２リンク３５の回転より大きく、第１リンク３４と第２リンク３５の回転の差動によって、防水扉３の基部３ｂは前板２ａに対して後方に遠ざかりながら（後方に移動しながら）下向きに揺動する。このため、防水扉基部３ｂと収納凹部４の縁材５の前板２ａ側部分との干渉を防止できる。こうして第１当接部３４ａと第２当接部１１ｂとが当接する起立角度位置（ここでは４５度）となると、押し上げアーム部２４ｃ先端と押し上げ係合部４０との係合が外れ、また、長アーム部２４ａ先端部の長孔２５の長手先端がピン２６に当接する（図６）。
【００１８】
図６の状態から回動アーム２４が更に回動されると、長アーム部２４ａ先端が防水扉３のピン２６を介して防水扉３を更に起立方向に回動させ、ピン２６が長孔２５を引っ掛けて回動アーム２４全体を上方に引き上げるので、支持アーム２２の先端部２２ａが引き上げられていく。押し上げアーム部２４ｃと押し上げ係合部４０との係合が解除された図６の状態では、防水扉３は既に４５度の角度位置にあって、それ以後、ピン２６を介して防水扉３に作用する回動アーム２４からの防水扉３を起立させる方向の分力が大きくなるので、回動アーム２４による回転力を効率よく防水扉３へ作用させることができる。また、第１当接部３４ａと第２当接部１１ｂとが当接した以後における起立過程では、第１リンク３４の下方向への回転が第１当接部３４ａと第２当接部１１ｂの当接によって規制されているため、第１、第２リンク３４，３５はリンク動作を固定されたまま揺動ベース１１と一体となる。従って、防水扉３は揺動ベース１１を介して枢軸１２を中心にして起立方向に揺動される。その結果、防水扉基部３ｂは前記とは逆に前板２ａに対して近づいていき、回動アーム２４の基部２４ｂに設けた回動ストッパ５１が支持アーム２２に当接すると回動アーム２４の回動が止められて回動アーム２４は支持アーム２２に対して直線状となり、長アーム部２４ａ先端部の押し部材５２が防水扉３をシール材６，８方向に押し付けて、図７に示す起立位置で防水扉３をシール材６，８に圧接する。
【００１９】
第１、第２リンク３４，３５が固定された以後の起立過程では、防水扉基部３ｂの移動軌跡は枢軸１２を中心とする円弧を描くが、移動距離が短いため略直線に近似した軌跡として考えることができ、防水扉基部３ｂがシール材６，８に向けて略水平に移動して略垂直に圧接するのでシール材６，８に確実に圧着させてシール効果を良くできると共にシール材６，８の損傷を防止できる。また、傾倒時は前記と反対に動作する。
【００２０】
通常はこのように電動モータ１６により防水扉３が起立されるが、防水扉３を起立操作したい時に停電だと、電動モータ１６が使用できないので、点検蓋１０３を開き、手動回転軸部１３１の遊嵌軸部１３１に嵌め込んであるラチェットレバー１３４を引き上げて軸線方向に移動させてトルク伝達軸部１３２にレバー先端孔部１３５を嵌合する。ラチェットレバー１３４の先端孔部１３５をトルク伝達軸部１３２に嵌合するとラチェットレバー１３４は揺動端規制部１３９と対応するので、ラチェットレバー１３４を揺動させるときにはラチェットレバー１３４は少なくともその把手１３４ａが収納凹部体２の上方開口の上端２ｆより上方で前後に揺動され、この手動入力によってギヤボックス１８、左右の回動アーム２４、支持アーム２２等を介して防水扉３が起立する。
ラチェットレバー１３４は手動回転軸部１３１に嵌め込んで抜け止めしてあるので、紛失する恐れが無く、また、別保管せずに防水扉装置に付属させているので、探す必要もなく、直ちにその場で防水扉３を起立操作できる。また、防水扉装置の動作点検時にラチェットレバー１３４で手動操作した後、図５のようにラチェットレバー１３４の先端孔部１３５を遊嵌軸部１３３に嵌め込まないとラチェットレバー１３４が格納部１０１の内側に収容されないので点検蓋１０３を被せることができず、そのため、作業者がラチェットレバー１３４先端孔部１３５を遊嵌軸部１３３に嵌め込み戻すことを忘れることが防止される。
【００２１】
こうして防水扉３が起立した後、点検蓋１０２，１０４を開けて支柱１０５を取り出し、左右のパイプ材１０８に支柱１０５の下部を嵌め込んで立てる。次いで、左右の支柱１０５のフック１０６とフック１０６の間にチェン１０９を掛け渡し、また、防水扉３のフック１０６と支柱１０５のフック１０６の間にチェン１０９を掛け渡し、収納凹部体２の収容部１００の上方開口（防水扉３が塞いでいた開口）の周囲にチェン１０９を張り巡らす。このようにして、収納凹部体２の、防水扉３が塞いでいた開口周囲がチェン１０９で囲まれるので、歩行者はこの中に入ることができず、従って、歩行者が収納凹部体２の上方開口に足を取られる危険が防止できる。チェン１０９を張り渡した後、開けた格納部１０１を点検蓋１０２〜１０４で塞ぐことは言うまでも無い。
【００２２】
なお、本願発明は実施例のものに限らず、種々の変形が可能である。例えば、防水扉が起立していくにしたがって、埋設してあった支柱がばね力で収納凹部体から自動的に上方に突出するようにしたり、防水扉の起立方向と反対方向に揺動するように支柱を設けて手動で起こすようにしたりすることもできる。また、防水扉と支柱間に張り渡すチェンは、一端を防水扉側に連結したままで防水扉を倒伏位置として倒伏位置の防水扉の下方に収納してあってもよい。この場合、収容部の一部が収納部を兼ねることになる。
【図面の簡単な説明】
【００２３】
【図１】本発明の防水扉装置の平面図であり、防水扉、点検蓋は仮想線で示す。
【図２】図１のＩＩ−ＩＩ線断面図である。
【図３】防水扉を倒伏位置とした防水扉装置の側面図である。
【図４】（ａ）はラチェットレバーが操作状態である手動操作機構の拡大平面図、（ｂ）は（ａ）の正面図である。
【図５】（ａ）はラチェットレバーが格納状態である手動操作機構の拡大平面図、（ｂ）は（ａ）の正面図、（ｃ）は要部斜視図である。
【図６】第１リンクの第１当接部と揺動ベースの第２当接部とが当接した起立角度位置における防水扉装置の側面図である。
【図７】防水扉を起立位置とした防水扉装置の側面図である。
【図８】チェンで収納凹部体の収容部周囲を取り囲んだ状態を示す斜視図である。
【符号の説明】
【００２４】
２  収納凹部体
３  防水扉
３ｂ  基部
１０１  格納部
１０５  支柱
１０８  支柱支持部材
１０９  チェン（入り込み防止部材）
Ｓ  出入口
Ｆ  通路面
【図１】
2006152691.tif 000003
【図２】
2006152691.tif 000004
【図３】
2006152691.tif 000005
【図４】
2006152691.tif 000006
【図５】
2006152691.tif 000007
【図６】
2006152691.tif 000008
【図７】
2006152691.tif 000009
【図８】
2006152691.tif 000010